(57)【要約】【課題】リモートメンテナンスを適切に行うことができる医用装置を提供する。【解決手段】本実施形態に係る医用装置は、遠隔地に設置された遠隔操作端末から電子ネットワーク経由で接続される医療機関等に設置された医用装置であって、前記医用装置からのリモートメンテナンス開始要求に応じて、前記医用装置と前記遠隔操作端末との遠隔接続を開始し、かつ、前記医用装置におけるリモートメンテナンス完了に応じて、前記医用装置と前記遠隔操作端末との前記遠隔接続の切断要求をするとともに、切断要求画面の画面キャプチャを取得する接続部と、前記遠隔接続による前記遠隔操作端末の遠隔操作を介して前記医用装置に表示された遠隔操作画面に対する前記医用装置からの操作を制限する操作制限部と、前記リモートメンテナンス完了に際し前記医用装置に表示される前記切断要求画面の画面キャプチャを記憶する確認データ記憶部と、を備えたことを特徴とする。【選択図】  図３
2016110180.tif 000002
【特許請求の範囲】
【請求項１】
遠隔地に設置された遠隔操作端末から電子ネットワーク経由で接続される医療機関等に設置された医用装置であって、
前記医用装置からのリモートメンテナンス開始要求に応じて、前記医用装置と前記遠隔操作端末との遠隔接続を開始し、かつ、前記医用装置におけるリモートメンテナンス完了に応じて、前記医用装置と前記遠隔操作端末との前記遠隔接続の切断要求をするとともに、切断要求画面の画面キャプチャを取得する接続部と、
前記遠隔接続による前記遠隔操作端末の遠隔操作を介して前記医用装置に表示された遠隔操作画面に対する前記医用装置からの操作を制限する操作制限部と、
前記リモートメンテナンス完了に際し前記医用装置に表示される前記切断要求画面の画面キャプチャを記憶する確認データ記憶部と、
を備えたことを特徴とする医用装置。
【請求項２】
前記遠隔操作が実行中である旨を知らせる透明化ウィンドウを生成する透明化ウィンドウ生成部をさらに備え、
前記操作制限部は、前記透明化ウィンドウにより前記遠隔操作画面に対する前記医用装置からの操作を制限する、
ことを特徴とする請求項１に記載の医用装置。
【請求項３】
前記医用装置に表示される画面が前記遠隔操作により表示された遠隔操作画面か否かを判定する遠隔操作画面管理部をさらに備え、
前記表示部は、前記透明化ウィンドウを前記遠隔操作画面より前に表示する、
ことを特徴とする請求項２に記載の医用装置。
【請求項４】
前記遠隔操作の進捗状況を示す進捗状況表示を生成する進捗表示画面生成部と、
前記透明化ウィンドウに前記進捗状況表示を重ね合わせて表示する表示部と、
を備えたことを特徴とする請求項１乃至３のいずれか１項に記載の医用装置。
【請求項５】
前記医用装置の更新情報を取得する更新情報取得部と、
前記更新情報表示を生成する更新情報表示生成部と、
をさらに備えたことを特徴とする請求項１乃至４のいずれか１項に記載の医用装置。
【請求項６】
前記表示部は、前記更新情報表示を前記医用装置に対して定期的に実施される点検の際に表示する、
ことを特徴とする請求項５に記載の医用装置。
【請求項７】
前記更新情報には更新対象に加えて、更新に必要な時間または更新に必要なデータ容量が含まれる、
ことを特徴とする請求項５または６に記載の医用装置。
【請求項８】
前記医用装置の使用状況を取得する使用状況取得部をさらに備え、
前記更新情報表示生成部は、前記医用装置の使用状況に応じて前記更新情報の絞り込み、または優先順位の設定を行う、
ことを特徴とする請求項５乃至７のいずれか１項に記載の医用装置。
【請求項９】
前記表示部は、前記更新情報を選択可能に表示する、
ことを特徴とする請求項５乃至８のいずれか１項に記載の医用装置。
【請求項１０】
前記更新情報表示生成部は、前記医用装置の使用状況に基づいて前記医用装置が検査に使用される時間以外の時間を算出し、前記時間内で更新可能な更新情報を生成する、
ことを特徴とする請求項５乃至９のいずれか１項に記載の医用装置。
【発明の詳細な説明】
【技術分野】
【０００１】
本発明の一態様としての実施形態は、医用装置に関する。
【背景技術】
【０００２】
医療機関において治療や診断などのために様々な医用装置やソフトウェアが使用されている。たとえば画像診断を行う際は、Ｘ線装置、Ｘ線ＣＴ（Computed Tomography）装置、ＭＲＩ（Magnetic Resonance Imaging）装置、ＰＥＴ（Positron Emission Tomography）装置、超音波診断装置など様々な画像診断装置が利用されている。さらに、そのような画像診断装置で取得された画像データは医用画像一元管理システム（ＰＡＣＳ：Picture Archiving and Communication Systems）に蓄積されたのち、医用画像表示装置や読影装置などを用いて読影レポートが作成され、診断結果は電子カルテ装置を用いて作成され、患者等に診断結果を説明するために使用されている。加えて、医療機関に患者が来院し、画像診断装置などで診断を行い、会計するまでのすべての流れが病院情報システム（ＨＩＳ：Hospital Information System）や放射線科情報システム（ＲＩＳ：Radiology Information System）などにより電子化されている。このような様々な医用装置の中でも、特に画像診断装置などは患者等の治療や診断における信頼性に直接的に影響を与えることから、医療機関は常に最良の状態で維持管理してゆくことが求められている。また、必要なときに故障により使用できない状況を回避したり、最良の状態で使用できるようにするため、迅速な修理や定期保守点検などによりダウンタイムの削減が図られている。
【０００３】
このような状況の中で、情報通信網の発展に伴い、保守点検や修理を行うサービスマンが医療機関を訪問しない遠隔保守による維持管理に関する体制が注目されている。特に、電子ネットワークを利用して、医用装置の保守点検や修理を遠隔操作により行うリモートメンテナンスと呼ばれる方法が実用化されてきている。リモートメンテナンスでは、医用装置の修理や保守点検、運用支援などに加えて、医用装置に新たにソフトウェアや付属部品が追加されたり、それらのバージョンの変更や更新に伴うアップグレード（以下、単に機能追加に伴うバージョンアップと呼ぶ）が行われたりする。このようなリモートメンテナンスを利用することで、サービスマンは医療機関を訪問する回数を減らすことができ、かつ、故障や異常が発生してすぐに修理や点検を行うことが可能となるため、ダウンタイムの削減が可能となる。
【先行技術文献】
【特許文献】
【０００４】
【特許文献１】特開２００２−３６０５３０号公報
【特許文献２】特開２００８−２１２５３９号公報
【発明の概要】
【発明が解決しようとする課題】
【０００５】
医用装置の保守は薬事法に定められた基準に準拠して行わなければならない。たとえば薬事法の観点から医用装置のリモートメンテナンスには、事前連絡、作業の進捗状況、作業後の検証や報告などが必要である。近年、一般社団法人日本画像医療システム工業会規格(JESRA)でリモートメンテナンスに関するガイドライン（画像診断装置等のリモートメンテナンスサービスに関するガイドライン  TR-0036-2010）が定められ、ガイドラインに沿った運用が求められている。ガイドラインには、リモートメンテナンスで行った作業や結果を記録することが規定されており、特に、リモートメンテナンスのみで作業が完了した場合も書面で作業内容を報告することなどが法定要求事項として記載されている。また、リモートメンテナンスであっても、サービスセンタ側の作業担当サービスマン（以下、遠隔操作者と呼ぶ）と、医療機関側に設置された医用装置の使用者（以下、リモートメンテナンス依頼者と呼ぶ）との間で行われるリモートメンテナンス開始やリモートメンテナンス完了に関する対応が明確に行われていることが必要とされる。すなわち、リモートメンテナンス依頼者がリモートメンテナンス開始を要求することで遠隔操作者が遠隔接続によるリモートメンテナンスを開始でき、リモートメンテナンス依頼者がリモートメンテナンス完了と認識することで遠隔操作者が遠隔接続によるリモートメンテナンスを完了できるという手続きが明確に行われることが求められる。
【０００６】
そこで、このようなリモートメンテナンスのガイドラインに沿った運用を可能とし、かつ、リモートメンテナンス依頼者がリモートメンテナンスの進捗状況を容易に把握できる医用装置が求められている。
【課題を解決するための手段】
【０００７】
本実施形態に係る医用装置は、遠隔地に設置された遠隔操作端末から電子ネットワーク経由で接続される医療機関等に設置された医用装置であって、前記医用装置からのリモートメンテナンス開始要求に応じて、前記医用装置と前記遠隔操作端末との遠隔接続を開始し、かつ、前記医用装置におけるリモートメンテナンス完了に応じて、前記医用装置と前記遠隔操作端末との前記遠隔接続の切断要求をするとともに、切断要求画面の画面キャプチャを取得する接続部と、前記遠隔接続による前記遠隔操作端末の遠隔操作を介して前記医用装置に表示された遠隔操作画面に対する前記医用装置からの操作を制限する操作制限部と、前記リモートメンテナンス完了に際し前記医用装置に表示される前記切断要求画面の画面キャプチャを記憶する確認データ記憶部と、を備えたことを特徴とする。
【図面の簡単な説明】
【０００８】
【図１】実施形態に係るリモートメンテナンスのシステム全体の一例を示す概念的な構成図。
【図２】実施形態に係る医用装置の一例を示す概念的な構成図。
【図３】実施形態に係る医用装置の第１の実施形態における機能構成例を示す機能ブロック図。
【図４】実施形態に係る医用装置の第１の実施形態における動作の一例を示すフローチャート。
【図５】実施形態に係る医用装置のリモートメンテナンス開始要求画面の一例を説明する図。
【図６】実施形態に係る医用装置のリモートメンテナンス中の画面の一例を説明する図。
【図７】実施形態に係る医用装置の切断要求画面の一例を説明する図。
【図８】実施形態に係る医用装置の第２の実施形態における機能構成例を示す機能ブロック図。
【図９】実施形態に係る医用装置の第２の実施形態における動作の一例を示すフローチャート。
【図１０】実施形態に係る医用装置の更新情報および使用状況の一例を説明する図。
【図１１】実施形態に係る医用装置の更新情報表示の第１の表示例を説明する図。
【図１２】実施形態に係る医用装置の更新情報表示の第２の表示例を説明する図。
【図１３】実施形態に係る医用装置の更新情報表示の第３の表示例を説明する図。
【発明を実施するための形態】
【０００９】
以下、医用装置の実施の形態について添付図面を参照して説明する。
【００１０】
進捗状況の表示に加えて、リモートメンテナンス依頼者からの操作によりリモートメンテナンスの開始と終了が実行され、リモートメンテナンス完了の証拠として切断要求画面の画面キャプチャを取得可能な医用装置を「第１の実施形態」、第１の実施形態に加えて、医用装置の使用状況等に応じて更新情報を提供可能な医用装置を「第２の実施形態」としてそれぞれ説明する。
【００１１】
（全体構成）
図１は、実施形態に係るリモートメンテナンスのシステム全体の一例を示す概念的な構成図である。図１に示すように、リモートメンテナンスシステム１０００は、サービスセンタ１と医療機関２とから構成されている。
【００１２】
図１では、１つのサービスセンタ１が複数の医療機関２ａ、２ｂ、２ｃの保守管理を担当している例を示している。サービスセンタ１と医療機関２とは電子ネットワークＮを介して接続されている。ここで、電子ネットワークＮとは、電気通信技術を利用した情報通信網全体を意味し、病院基幹ＬＡＮ、無線／有線ＬＡＮやインターネット網のほか、電話通信回線網、光ファイバー通信ネットワーク、ケーブル通信ネットワークおよび衛星通信ネットワークなどを含む。
【００１３】
図１のサービスセンタ１には、遠隔操作端末１００と複数の遠隔操作サービスサーバ２００（２０１ａ、２０１ｂ・・・２０１ｎ）が設置される。なお、図１には遠隔操作端末１００を１台しか記載していないが、複数台設置されていてもよい。
【００１４】
遠隔操作端末１００は、サービスセンタ１の遠隔操作者が遠隔地にある医療機関２の医用装置４００を電子ネットワークＮ経由で遠隔操作により修理、点検、機能追加に伴うバージョンアップ等をするための装置である。
【００１５】
遠隔操作サービスサーバ２００は、遠隔操作端末１００からの遠隔操作によって医用装置４００で生成される遠隔操作画面の生成を行う。また遠隔操作サービスサーバ２００には、保守点検に使用するデータや医用装置の更新情報、リモートメンテナンスにおける記録等、様々な情報を記憶する記憶装置として機能してもよい。また、遠隔操作サービスサーバ２００は、１つの仮想サーバとして機能してもよく、遠隔操作端末１００および医療機関２は物理的なサーバを意識することなく遠隔操作サービスサーバ２００に接続することができる。このように遠隔操作サービスサーバ２００はクラウドシステムで構成されていてもよい。
【００１６】
図１の医療機関２ａには、稼働管理装置３００、医用装置４００（４００ａおよび４００ｂ）、ＨＩＳ／ＲＩＳ５００、ＰＡＣＳ６００が設置されている。医用装置４００の台数や種類は医療機関毎に異なり、図１では、医療機関２ａに医用装置４００ａ、４００ｂの２台が設置されている例を示している。稼働管理装置３００は、サービスセンタ１と医療機関２との電子ネットワークＮ経由での接続を中継している。稼働管理装置３００は、たとえば２４時間体制でサービスセンタ１と医療機関２とを接続可能とする場合に設置される。医療機関２では２４時間体制で医用装置４００等に電源が投入されているとは限らない。そこで、稼働管理装置３００は、医用装置４００の制御装置などの電源が停止している時間帯であっても医用装置４００に接続することを可能とするために医療機関２に設置されている。
【００１７】
医用装置４００には、たとえば、Ｘ線装置、Ｘ線ＣＴ（Computed Tomography）装置、ＭＲＩ（Magnetic Resonance Imaging）装置、ＰＥＴ（Positron Emission Tomography）装置、超音波診断装置などの各種医用画像診断装置が含まれる。また、それらの医用画像診断装置で取得した画像データを解析、読影するための読影装置や画像表示装置などを含む。医用装置４００のハードウェア構成については後述する。医用装置４００は、ＨＩＳ／ＲＩＳ５００やＰＡＣＳ６００などと接続される。ＨＩＳ／ＲＩＳ５００は医療機関２に来院した患者等の管理や医用装置４００の使用状況の管理などを行う。ＰＡＣＳ６００は医用画像診断装置で取得した画像データを蓄積し、読影装置や画像表示装置の要求に応じて画像データを配信する。
【００１８】
図２は、実施形態に係る医用装置４００の一例を示す概念的な構成図である。図２では、医用装置４００がＭＲＩ装置である場合を例として説明する。
【００１９】
図２に示すように、医用装置４００（ＭＲＩ装置）は、制御部４１０と撮像部４２０とから構成される。制御部４１０は通信制御装置１０、主制御部２０、記憶部３０、入力部４０、表示部５０を備えて構成される。
【００２０】
通信制御装置１０は、電子ネットワーク形態に応じた種々の通信プロトコルを実装する。また、通信制御装置１０は遠隔接続に関する制御などを行う。
【００２１】
記憶部３０は、医用装置の各種データを格納するほか、記憶部３０に格納されたプログラムが主制御部２０によって実行されることで、遠隔接続の開始や、進捗状況の表示、リモートメンテナンスにおける記録の取得などが行われる。
【００２２】
記憶部３０は、ＲＡＭとＲＯＭをはじめとする記憶媒体などにより構成され、磁気的もしくは光学的記憶媒体または半導体メモリなどの、主制御部２０により読み取り可能な記憶媒体を含んだ構成を有し、これらの記憶媒体内のプログラムおよびデータの一部または全部は電子ネットワークを介してダウンロードされるように構成してもよい。
【００２３】
入力部４０は、たとえばキーボード、タッチパネル、テンキー、マウスなどの一般的な入力装置により構成される。入力部４０は医用装置４００のユーザであるリモートメンテナンス依頼者の操作に対応した入力信号を主制御部２０に出力する。
【００２４】
表示部５０は、たとえば液晶ディスプレイやＯＬＥＤ（Organic Light Emitting Diode）ディスプレイなどの一般的な表示装置により構成されるほか、主制御部２０の制御に従って画像をディスプレイ表示する。
【００２５】
撮像部４２０は、静磁場発生部４２１、傾斜磁場発生部４２２、送受信部４２３、寝台制御部４２４、冷却装置４２５、シーケンスコントローラ４２６を備えて構成される。撮像部４２０を構成する静磁場発生部４２１、傾斜磁場発生部４２２、送受信部４２３、寝台制御部４２４はシーケンスコントローラ４２６に記憶されたシーケンス実行データに基づいて動作する。
【００２６】
シーケンスコントローラ４２６は、図示しないプロセッサ、たとえばＣＰＵ（central processing unit）およびメモリを備え、主制御部２０の制御に従って撮像部４２０の駆動を制御する。たとえば、シーケンスコントローラ４２６はＭＲＩ装置における撮像に必要なシーケンス実行データを記憶している。シーケンス実行データは、印加すべきパルス電流の強度や印加時間、印加タイミング等の動作制御情報を備えている。
【００２７】
静磁場発生部４２１は、静磁場磁石と静磁場電源とから構成され、架台（図示しない）内部空間に一様な静磁場を発生する。静磁場磁石としては、たとえば永久磁石または超伝導磁石等が使用される。
【００２８】
傾斜磁場発生部４２２は、傾斜磁場コイルと傾斜磁場電源とから構成され、互いに直交するＸ、Ｙ、Ｚの各軸に沿って磁場強度が変化する傾斜磁場を発生させる。なお、Ｚ軸方向は、静磁場と同方向とする。Ｘ、Ｙ、Ｚ各軸の傾斜磁場は、たとえば、リードアウト用傾斜磁場Ｇｒ、位相エンコード用傾斜磁場Ｇｐおよびスライス選択用傾斜磁場Ｇｓにそれぞれ対応している。リードアウト用傾斜磁場Ｇｒは、空間的位置に応じてＭＲ（magnetic resonance）信号の周波数を変化させるために利用される。位相エンコード用傾斜磁場Ｇｐは、空間的位置に応じてＭＲ信号の位相を変化させるために利用される。スライス選択用傾斜磁場Ｇｓは、任意に撮像断面を決めるために利用される。
【００２９】
送受信部４２３は、パルスシーケンス実行データの備えるパルスシーケンスと称するタイムチャートに従って、送信コイルに電力を供給しＲＦ信号を発生する。また、ＲＦ磁場の影響によって被検体から放射されるＭＲ信号を受信する。受信したＭＲ信号は制御部４１０のシーケンスコントローラ４２６を介して主制御部２０や記憶部３０に送られ、後処理すなわちフーリエ変換等の再構成処理が施される。
【００３０】
冷却装置４２５はＭＲＩ装置の冷却を行う装置である。たとえば、ＭＲＩ装置の静磁場磁石は超電導コイルを内蔵し、液体ヘリウムによって超電導コイルが極低温に冷却されている。超電導磁石の冷却は２４時間行う必要があり、制御部４１０の電源が停止しても冷却が維持されなければならない。また、ヘリウムガスの量を２４時間監視し、超電導磁石が正常に稼働するよう管理されなければならない。そこで、ＭＲＩ装置では稼働管理装置３００が冷却装置４２５の駆動も管理している。
【００３１】
図２では、医用装置４００がＭＲＩ装置で構成される例を示したが、Ｘ線ＣＴ装置やその他の医用画像診断装置で構成される場合は、その装置に応じた撮像部４２０を備えて構成される。
【００３２】
（第１の実施形態）
第１の実施形態は、進捗状況の表示に加えて、リモートメンテナンス依頼者からの操作によりリモートメンテナンスの開始と終了が実行され、リモートメンテナンス完了の証拠として切断要求画面の画面キャプチャを取得可能な医用装置に関する。
【００３３】
（１）構成
図３は、実施形態に係る医用装置４００の第１の実施形態における機能構成例を示す機能ブロック図である。図３に示すように、医用装置４００は接続部２１、接続制御部１１、リモートメンテナンス開始要求生成部２２、操作制限部２３、遠隔操作画面管理部２４、透明化ウィンドウ生成部２５、進捗表示画面生成部２６、切断要求生成部２７、確認データ記憶部３１、入力部４０、表示部５０を備えて構成される。そのうち、接続部２１、リモートメンテナンス開始要求生成部２２、操作制限部２３、遠隔操作画面管理部２４、透明化ウィンドウ生成部２５、進捗表示画面生成部２６、切断要求生成部２７は記憶部３０に格納されたプログラムが主制御部２０に実行されることで実現する機能である。
【００３４】
接続部２１は、医用装置４００からのリモートメンテナンス開始要求に応じて、医用装置４００と遠隔操作端末１００との遠隔接続を開始する。また、医用装置４００におけるリモートメンテナンス完了に応じて、医用装置４００と遠隔操作端末１００との遠隔接続の切断要求をするとともに、切断要求画面の画面キャプチャを取得する。なお、接続部２１は、医用装置４００でリモートメンテナンス開始要求される際のリモートメンテナンス開始要求画面の画面キャプチャを取得してもよい。接続部２１は、接続制御部１１、リモートメンテナンス開始要求生成部２２、切断要求生成部２７から構成される。接続部２１での遠隔接続とその切断については後述する。
【００３５】
リモートメンテナンス開始要求生成部２２は、医用装置４００から遠隔操作端末１００への遠隔接続を開始するために、リモートメンテナンス開始要求画面を生成し表示部５０に表示する。また、表示部５０に表示されたリモートメンテナンス開始要求画面に従って、医療機関２側のリモートメンテナンス依頼者がリモートメンテナンス開始要求を入力部４０を介して入力すると、接続制御部１１に対してリモートメンテナンス開始要求が送信される。
【００３６】
切断要求生成部２７は、遠隔操作による作業が完了すると、医用装置４００から遠隔操作端末１００への遠隔接続を切断するために、切断要求画面を生成し表示部５０に表示する。また、表示部５０に表示された切断要求画面に従って、医療機関２側のリモートメンテナンス依頼者が切断要求を入力部４０を介して入力すると、接続制御部１１に対して切断要求が送信される。
【００３７】
確認データ記憶部３１は、リモートメンテナンス完了に際し医用装置４００に表示される切断要求画面の画面キャプチャを記憶する。また、リモートメンテナンス開始要求の画面の画面キャプチャを記憶してもよい。記憶された画面キャプチャは、稼働管理装置３００に一旦蓄積されたのち、遠隔操作端末１００あるいは、遠隔操作サービスサーバ２００に送信されてもよいし、医療機関２でリモートメンテナンス完了確認書類に添付されるなどしてサービスセンタ１等に送付されてもよい。
【００３８】
操作制限部２３は、遠隔接続による遠隔操作端末１００の遠隔操作を介して医用装置４００に表示された遠隔操作画面に対する医用装置４００からの操作を制限する。遠隔操作端末１００により医用装置４００が操作されている間は、医用装置４００の表示部５０に遠隔操作によって様々な画面が表示される。このように遠隔操作端末１００の操作によって医用装置４００に表示される各種画面を遠隔操作画面と呼ぶこととする。医療機関２側のリモートメンテナンス依頼者は、医用端末４００を直接操作することが可能であるため、誤って遠隔操作画面を削除したり、遠隔操作画面として表示されたインストール実行画面からソフトウェア等のインストールをキャンセルしてしまったりする場合がある。このような操作を行うと、遠隔操作者による作業の遅延を招くだけでなく、必要なデータが正しく更新されず、エラーの原因となったり、動作不良の原因となったりする。操作制限部２３は、遠隔操作により表示された遠隔操作画面に対する、医用装置４００からのリモートメンテナンス依頼者の操作を制限する。遠隔操作画面に対するリモートメンテナンス依頼者の操作を制限する方法については後述する。
【００３９】
遠隔操作画面管理部２４は、医用装置４００に表示される画面が遠隔操作により表示された遠隔操作画面か否かを判定する。また、遠隔操作端末１００による医用装置４００に対する遠隔操作処理を管理し、遠隔操作が実行中か否か判定する。
【００４０】
透明化ウィンドウ生成部２５は、遠隔操作が実行中である旨を知らせる透明化ウィンドウを生成する。透明化ウィンドウは、遠隔操作画面より前面に表示され、遠隔操作画面を透明化ウィンドウ越しに透過させて表示させる。透明化ウィンドウの表示については後述する。
【００４１】
進捗表示画面生成部２６は、遠隔操作の進捗状況を示す進捗状況表示を生成する。進捗状況表示は、透明化ウィンドウの前面に表示され、操作制限部２３による操作制限を受けずにリモートメンテナンス依頼者による操作が可能な表示である。進捗表示画面については後述する。
【００４２】
（２）動作
以下、フローチャートと図５乃至図７を用いて第１の実施形態の動作について説明する。
【００４３】
図４は、実施形態に係る医用装置４００の第１の実施形態における動作の一例を示すフローチャートである。
【００４４】
ＳＴ１０１では、リモートメンテナンス開始要求生成部２２により医用装置４００の表示部５０にリモートメンテナンス開始要求画面が表示される。
【００４５】
図５は、実施形態に係る医用装置４００のリモートメンテナンス開始要求画面の一例を説明する図である。図５では表示部５０上に、ユーティリティメニュー画面Ｗ１とリモートメンテナンス開始要求画面Ｗ２とが表示された例が示されている。図５に例示されたユーティリティメニュー画面Ｗ１には、「リモートメンテナンス」、「セットアップ」、「点検」、「戻る」の４つのボタンが示されており、それぞれのボタンの右側の破線で示された領域にはそれぞれのボタンの説明が記載されている。たとえば、「リモートメンテナンス」のボタンを押下するとリモートメンテナンスを開始するためのリモートメンテナンス開始要求画面Ｗ２に遷移し、「セットアップ」のボタンを押下すると医用装置の初期設定画面などに遷移し、「点検」のボタンを押下すると定期的に実施される日常点検などの開始画面に遷移してもよい。また「戻る」ボタンの押下で撮像画面が表示されてもよい。図５では「リモートメンテナンス」のボタンが押下された場合のリモートメンテナンス開始要求画面Ｗ２の表示が例示されている。
【００４６】
図５に例示されたリモートメンテナンス開始要求画面Ｗ２には、リモートメンテナンスを開始する旨の案内とともに「接続開始」ボタンと「キャンセル」ボタンが表示されている。医療機関２のリモートメンテナンス依頼者が「接続開始」ボタンを押下することで、リモートメンテナンス依頼者による遠隔接続の許可をサービスセンタ１の遠隔操作者に与えるとともに、遠隔接続が開始される。たとえば、リモートメンテナンス開始要求画面Ｗ１の「接続開始」ボタンが押下されたタイミングで、医用装置４００が画面キャプチャを取得し、リモートメンテナンスの開始がリモートメンテナンス依頼者の手で実行されたことの証拠としてもよい。なお「画面キャプチャ」とは、表示部５０上に表示された画面の全部または一部を写した画像であって、ある瞬間における画面の表示状態をそのまま複製したものである。
【００４７】
図４に戻って動作の説明を続ける。
ＳＴ１０３では、リモートメンテナンス開始要求生成部２２がリモートメンテナンス開始要求を接続制御部１１に送信する。
【００４８】
ＳＴ１０５では、接続制御部１１が医用装置４００と遠隔操作端末１００との遠隔接続を開始する。
【００４９】
ＳＴ１０７では、遠隔操作端末１００からの遠隔操作により医用装置４００の表示部５０に遠隔操作画面が表示される。
【００５０】
ＳＴ１０９では、透明化ウィンドウ生成部２５が透明化ウィンドウを表示部５０に表示する。なお、透明化ウィンドウは、遠隔操作画面管理部２４により遠隔操作画面と判断された画面より手前（前側）に表示され、遠隔操作画面をすべて覆うように表示される。すなわち、遠隔操作画面は、透明化ウィンドウが表示された後に新しく表示された場合であっても、すべて透明化ウィンドウの奥（後側）に表示される。
【００５１】
ＳＴ１１１では、進捗表示生成部２６が透明化ウィンドウの手前に進捗状況表示を表示する。進捗状況表示は遠隔操作画面管理部２４から取得される遠隔操作の情報や遠隔操作画面の状況などに基づいて作成されてもよいし、遠隔操作によって実行される作業により更新されるファイルの容量や取得状況、インストール状況などに基づいて作成されてもよい。また、これらの情報を総合的に判断して作成されてもよいし、リモートメンテナンスで実施される作業毎に予め作業時間を決めておき、時間経過とともに進捗状況表示を生成してもよい。
【００５２】
ＳＴ１１３では、遠隔操作画面管理部２４が、リモートメンテナンス依頼者によって操作された画面が遠隔操作画面か否か判定する。遠隔操作画面である場合（Ｙｅｓ）は入力操作を制限し（ＳＴ１１５）、遠隔操作画面でない場合（Ｎｏ）は操作を許可する（ＳＴ１１７）。たとえば、操作制限部２３は、リモートメンテナンス依頼者が入力部４０などを介して遠隔操作画面にカーソルを合わせ、画面を移動させたり画面を削除したりする操作を行った場合、遠隔操作画面がそのような操作に反応しないように制御する。一方、リモートメンテナンス依頼者が操作した画面が遠隔操作画面以外である場合は、入力された操作が実行され、リモートメンテナンス依頼者の操作どおりに画面が変更する。
【００５３】
なお、ＳＴ１０７〜ＳＴ１１７の動作が順に実行されるように記載したが、遠隔接続の開始と同時にＳＴ１０７〜ＳＴ１１７の処理は実行される。また、遠隔操作画面の表示がなくても、透明化ウィンドウは遠隔接続の開始と同時に表示される。進捗状況表示は透明化ウィンドウと同時に表示されてもよいし、ユーザの要求や遠隔操作の進捗などに応じて表示されてもよい。
【００５４】
図６は、実施形態に係る医用装置４００のリモートメンテナンス中の画面の一例を説明する図である。図６は、表示部５０に４つの遠隔操作画面Ｗ３（Ｗ３ａ、Ｗ３ｂ、Ｗ３ｃ、Ｗ３ｄ）と、透明化ウィンドウＷ４と進捗状況表示画面Ｗ５とが表示された例を示している。
【００５５】
遠隔操作画面Ｗ３には、たとえば、遠隔操作により表示されたコンソール画面や、遠隔操作の内容を記録する記録画面、遠隔操作により医用装置の動作を確認する画面あるいは、データの取得やインストール実行中を示すステータスバーなどが表示されている。これらの遠隔操作画面には、画面を削除するためのボタンや実行をキャンセルするためのボタン等が表示されている。これらのボタンをリモートメンテナンス依頼者が誤って押下してしまうと、遠隔操作者の作業の妨げになるだけでなく、リモートメンテナンス作業が適切に完了せず、エラーや動作異常の原因となってしまう。
【００５６】
そこで、本実施形態に係る医用装置４００では、透明化ウィンドウＷ４を遠隔操作端末Ｗ３を覆うように表示し、透明化ウィンドウを介してリモートメンテナンス依頼者が遠隔操作画面Ｗ３を操作できない画面であることを明示するともに、リモートメンテナンス依頼者が遠隔操作の様子を監視できるようにしている。図６の例では、透明化ウィンドウＷ４が表示部５０より若干小さく描かれているが、透明化ウィンドウＷ４は表示部５０全体に表示されてもよい。また、透明化ウィンドウの透過度はユーザであるリモートメンテナンス依頼者が自由に変更することができる。たとえば、透明化ウィンドウに透過度を調整できるスイッチやスライドバーを設け、表示中に透過度を変更できてもよい。
【００５７】
また、このような透明化ウィンドウの表示に加えて、進捗状況表示Ｗ５を表示することで、画面を監視するよりも進捗状況を容易に把握することができる。たとえば、進捗状況表示Ｗ５に示すように、進捗状況として、全体の何％であるか、あるいは完了までの時間を表示することで、リモートメンテナンス依頼者は医用装置４００の作業状況を終始監視せずともリモートメンテナンスの完了を予測し、別の仕事を行ったり別の医用装置４００を操作したりすることができる。さらに、進捗状況表示画面Ｗ５には「強制終了」と「コメント送信」のボタンが表示されている。「強制終了」ボタンは、緊急で医用装置４００を使用する必要がある場合などに、遠隔接続を強制的に切断するためのボタンである。また、そのような措置を行うことを遠隔操作者に報告したり、動作の不具合に関する報告や要望を伝えたりするために「コメント送信」のボタンが表示されている。
【００５８】
このように、透明化ウィンドウＷ４の手前に表示される進捗状況表示Ｗ５についてはリモートメンテナンス依頼者は自由に操作することが可能である。たとえば、遠隔操作に無関係のソフトウェアや機能を使用する場合は、透明化ウィンドウの手前にそれらの操作画面を表示させることで、リモートメンテナンス依頼者は遠隔操作による作業の進行中に他の作業を行うこともできる。たとえば、ＭＲＩ装置の受信コイルに関する更新作業を行っている際に、ＭＲＩ装置で取得した画像データを処理するような、受信コイルを使用しない作業を同時に実行することが可能である。この際、透明化ウィンドウを挟んで奥側には遠隔操作画面が表示され、遠隔操作画面に対してリモートメンテナンス依頼者は操作を制限されるのに対し、透明化ウィンドウを挟んで手前に表示される画面は医用端末４００あるいはリモートメンテナンス依頼者により表示された画面であり、リモートメンテナンス依頼者が自由に操作することができる画面となる。このように透明化ウィンドウにより、遠隔操作による表示とそれ以外の操作による表示を区別し、操作可能な対象と操作を制限される対象とを区別することができる。
【００５９】
図４に戻って動作の説明を続ける。
ＳＴ１１９では、遠隔操作画面管理部２４によりリモートメンテナンスが完了したか否かが判断される。リモートメンテナンスが完了したと判断された場合（Ｙｅｓ）は切断要求生成部２７により切断要求画面が表示され（ＳＴ１２１）、作業が完了していないと判断された場合（Ｎｏ）は上述した透明化ウィンドウの表示等（ＳＴ１０７〜ＳＴ１１７）を行う。
【００６０】
ＳＴ１２１では、切断要求生成部２７が切断要求表示を生成し、医用装置４００の表示部５０に切断要求表示画面が表示される。
【００６１】
図７は、実施形態に係る医用装置４００の切断要求画面の一例を説明する図である。図７には、表示部５０上に切断要求表示画面Ｗ６が表示された例が示されている。切断要求表示画面Ｗ６にはリモートメンテナンスが完了した旨とともに「接続切断」ボタンが表示されている。リモートメンテナンス依頼者が「接続切断」ボタンを押下することで、リモートメンテナンスが完了したことをリモートメンテナンス依頼者が確認したこととなり、このようなリモートメンテナンス依頼者による確認動作の証拠として、「接続切断」ボタンを押下するタイミングで画面キャプチャを取得する。取得した画面キャプチャは確認データ記憶部３１に格納される。このように取得された画面キャプチャは、後日、リモートメンテナンス完了の書面に添付され、サービスセンタ１に提出されてもよいし、稼働管理装置３００を介してサービスセンタ１に送信されてもよい。
【００６２】
図４に戻って動作の説明を続ける。
ＳＴ１２３では、切断要求生成部２７が切断要求を接続制御部１１に送信する。
【００６３】
ＳＴ１２５では、接続制御部１１が医用装置４００と遠隔操作端末１００との遠隔接続を切断する。
【００６４】
このように、第１の実施形態では、医用装置４００のリモートメンテナンスにおいて、遠隔接続がリモートメンテナンス依頼者の許可により開始され、かつ、遠隔接続の切断と同時にリモートメンテナンス依頼者によりリモートメンテナンスの終了確認が行われる。上述の手順によりリモートメンテナンスのガイドラインに沿った運用を、遠隔接続および切断における操作の一環として実現できる。また、リモートメンテナンスの進捗状況が容易に把握できるため、リモートメンテナンス依頼者は遠隔操作中に離席することができ、リモートメンテナンス中の時間を効率的に使用することができる。
【００６５】
（第２の実施形態）
第２の実施形態は、第１の実施形態に加えて、医用装置の使用状況等に応じて更新情報を提供可能な医用装置に関する。
【００６６】
（１）構成
図８は、実施形態に係る医用装置４００の第２の実施形態における機能構成例を示す機能ブロック図である。なお、第１の実施形態と同一の構成については同一の記号を付し、説明を省略する。
【００６７】
図８に示すように、医用装置４００は図３で示した第１の実施形態の構成に加えて、更新情報取得部２９ａ、更新情報生成部２８、使用状況取得部２９ｂを備えて構成される。
【００６８】
更新情報取得部２９ａは、医用装置４００の更新情報を取得する。更新情報は、機能追加に伴うバージョンアップに関する情報が含まれる。医用装置４００の更新対象には、撮像方法、ハードウェアおよびソフトウェアなどが含まれる。たとえばＭＲＩ装置の更新対象には、撮像方法としてシーケンス実行データ、ハードウェアとして受信コイル、ソフトウェアとして画像処理方法などが含まれる。また、更新情報には医用装置４００の修理等において変更や追加が必要になった更新対象に関する情報も含まれる。更新情報取得部２９ａはこのような更新対象についてのバージョンアップや内部データの変更、新規追加などの更新情報をサービスセンタ１から取得する。なお、定期的にサービスセンタ１から稼働管理装置３００に更新情報が蓄積されており、更新情報取得部２９ａは稼働管理装置３００から更新情報を取得してもよい。更新情報取得部２９ａで取得される更新情報については後述する。
【００６９】
更新情報生成部２８は、更新情報表示を生成する。更新情報表示には、医用装置４００において現時点で更新可能な更新対象が一覧で表示される。更新情報一覧は少なくとも更新対象加えて、更新に必要な時間または更新に必要なデータ容量が表示される。また、更新情報生成部２８は、更新対象の一覧を優先度や更新に必要なデータ容量などに応じて並び替えて表示してもよい。更新情報生成部２８での更新情報の生成については後述する。
【００７０】
使用状況取得部２９ｂは、医用装置４００の使用状況を取得する。医用装置４００の使用状況とは、医用装置４００が設置された医療機関２でどのような使い方がされているかに関する情報である。たとえば、医療機関２によっては緊急検査用の装置と通常検査用の装置とを使い分けている場合がある。さらに、診療科、部門、撮像部位毎に医用装置４００を使い分けている場合があり、医用装置４００毎に撮像する部位や撮像方法に応じて実装されているハードウェアやソフトウェアが異なってくる。また、ＨＩＳ／ＲＩＳ５００における医用装置４００の予約状況などから使用される時間帯を取得することができる。使用状況取得部２９ｂで取得される使用状況については後述する。
【００７１】
（２）動作
以下、フローチャートと図１０乃至図１３を用いて医用装置４００の第２の実施形態における動作を説明する。
【００７２】
図９は、実施形態に係る医用装置４００の第２の実施形態における動作の一例を示すフローチャートである。図９のフローチャートに示した動作は、たとえば、図４のフローチャートで説明した第１の実施形態における、リモートメンテナンスの開始要求と同時（ＳＴ１０３）や、リモートメンテナンスが開始された後（ＳＴ１０５）に開始されてもよい。
【００７３】
ＳＴ２０１では、更新情報取得部２９ａがサービスセンタ１などから更新情報を取得する。
【００７４】
ＳＴ２０３では、使用状況取得部２９ｂが医用装置４００の使用状況をＲＩＳ／ＲＩＳ５００などから取得する。
【００７５】
図１０は、実施形態に係る医用装置４００の更新情報および使用状況の一例を説明する図である。図１０（ａ）は更新情報の例を、図１０（ｂ）は使用状況の例をそれぞれ示している。
【００７６】
図１０（ａ）の更新情報はＭＲＩ装置を例として「更新対象」ごとに「更新内容」、「更新ファイル容量（ＫＢ）」、「更新時間（分）」が示されている。更新情報における「更新対象」には、撮像方法や画像処理方法、医用装置に組み込まれているハードウェア等が含まれる。図１０（ａ）では「更新対象」として、「撮像方法１」、「画像処理１」、「受信コイル１」等が例示されているが、実際のパルスシーケンスの名称や、画像演算方法の名称、受信コイルの名称が表示されてもよいし、それらを更新するための更新ファイルの名称であってもよい。「更新内容」には、「バージョンアップ」、「内部データ更新」、「新規追加」、「機能追加」等が例示されている。このように、「更新内容」はそれぞれの更新対象についてどのような更新が予定されているかを簡単に示すものである。「更新ファイル容量（ＫＢ）」は、それぞれの更新対象を更新するために必要なファイル容量を示しており、「更新時間（分）」は更新を行う際の目安となる時間を示している。
【００７７】
図１０（ａ）の１段目は「撮像方法１」について「バージョンアップ」の更新があることを示しており、更新ファイル容量は２５８ＫＢ、更新時間は１０分であることが示されている。同様に、２段目は「撮像方法２」について「内部データ更新」の更新があることを示しており、更新ファイル容量は６５ＫＢ、更新時間は３分であること、３段目は「撮像方法３」について「新規追加」の更新があることを示しており、更新ファイル容量は６８５０ＫＢ、更新時間は２７４分であること、４段目は「画像処理１」について「バージョンアップ」の更新があることを示しており、更新ファイル容量は３５０ＫＢ、更新時間は１４分であること、５段目は「画像処理２」について「内部データ更新」の更新があることを示しており、更新ファイル容量は９８ＫＢ、更新時間は４分であること、６段目は「画像処理３」について「機能追加」の更新があることを示しており、更新ファイル容量は６６５ＫＢ、更新時間は２７分であること、７段目は「受信コイル１」について「内部データ更新」の更新があることを示しており、更新ファイル容量は４１５ＫＢ、更新時間は１７分であること、８段目は「受信コイル２」について「新規追加」の更新があることを示しており、更新ファイル容量は５５０ＫＢ、更新時間は２２分であること、９段目は「受信コイル３」について「新規追加」の更新があることを示しており、更新ファイル容量は７８９ＫＢ、更新時間は３２分であることがそれぞれ示されている。
【００７８】
更新情報は上述のような情報のほかに、たとえば、リリース日付やバージョン情報などを含んでいてもよい。
【００７９】
図１０（ｂ）は医療機関２における使用状況の例を示している。医療機関２には複数の医用装置４００が設置されている。図１０（ｂ）では医用装置４００の「装置種別」ごとに「緊急用／通常用」、「撮像部位」、「使用予約状況」が例示されている。「緊急用／通常用」は、緊急検査で使用する医用装置４００か、通常の検査で使用する医用装置４００かの分類である。「撮像部位」はその医用装置４００で撮像される解剖学的部位を示している。たとえば、診療科または部門が脳神経外科である場合は頭部を撮像することが主となり、心臓外科、泌尿器科などである場合もそれぞれ胸部、下腹部が撮像の対象となる。撮像部位が異なると、医用装置４００に実装されるハードウェアやソフトウェアが異なってくる。たとえば、心臓のＸ線ＣＴ撮像では心電図が用いられたり、頭部のＭＲＩ撮像では頭部用の受信コイルが用いられたりする。それに応じて撮像条件やそれを制御するソフトウェアが異なってくる。このように、医療機関２の診療科や部門などにより医用装置４００で撮像される部位は異なり、撮像部位に応じたハードウェアやソフトウェアが実装される。「使用予約状況」は医用装置４００が使用される時間帯を示している。たとえば、ＨＩＳ／ＲＩＳ５００には患者がどの診療科を受診しているか、どのような検査を行うかなどの情報が記憶されており、それらの情報からどの医用装置４００がいつ使用されるかを把握することができる。
【００８０】
図１０（ｂ）の１段目は、「ＭＲＩ１」が「緊急用」であることを示しており、撮像部位は「全身」、緊急用のため、いつでも使用できるように使用予約状況は「-」となっている。同様に２段目は、「ＭＲＩ２」が「通常用」であることを示しており、撮像部位は「頭部、胸部、腹部」、使用予約状況は「９：００〜１３：００、１５：００〜１７：００」となっており、３段目は、「ＭＲＩ３」が「通常用」であることを示しており、撮像部位は「頭部」、使用予約状況は「９：００〜１１：００、１２：００〜１３：００、１５：００〜１７：００」となっており、４段目は、「ＭＲＩ４」が「通常用」であることを示しており、撮像部位は「腹部」、使用予状況は「１５：００〜１６：００」となっており、５段目は、「Ｘ線ＣＴ１」が「緊急用」であることを示しており、撮像部位は「全身」、緊急用のため、いつでも使用できるように使用予約状況は「-」となっており、６段目は、「Ｘ線ＣＴ２」が「通常用」であることを示しており、撮像部位は「胸部、腹部」、使用予約状況は「９：００〜１０：００、１６：００〜１７：００」となっており、７段目は、「Ｘ線ＣＴ３」が「通常用」であることを示しており、撮像部位は「心臓」、使用予約状況は「１１：００〜１２：００」となっており、８段目は、「Ｘ線ＣＴ４」が「通常用」であることを示しており、撮像部位は「頭部」、使用予状況は「１０：００〜１５：００」となっている。
【００８１】
このような情報以外にも、使用状況は具体的なソフトウェアやハードウェア、撮像方法等、使用される診療科や部門などの情報を含んでいてもよい。
【００８２】
図９に戻って説明を続ける。
ＳＴ２０５では、更新情報表示生成部２８が更新情報を生成する。更新情報生成部２８は、更新情報として取得した一覧をそのまま表示してもよいし、使用状況に基づいて医用装置４００毎に必要な更新情報に絞って表示してもよい。また、使用状況に基づいて医用装置４００毎に優先順位を設定し表示してもよい。
【００８３】
ＳＴ２０７では、表示部５０に更新情報が表示される。
【００８４】
図１１は、実施形態に係る医用装置４００の更新情報表示の第１の表示例を説明する図である。図１１には、更新情報に含まれるすべての更新情報を更新対象毎に一覧で表示する更新情報表示Ｕ１の例が示されている。図１１の更新情報表示Ｕ１には、「撮像条件に関する更新」と「画像処理に関する更新」とがそれぞれ一覧で表示されている。それぞれの更新対象毎に更新ファイル容量と更新時間が示されており、ユーザであるリモートメンテナンス依頼者は、一覧で表示された機能の中から必要な機能を選んで更新を行うことができる。たとえば、図１１の例では、撮像条件２と画像処理２のチェックボックスが選択されている。リモートメンテナンス依頼者の判断で、検査と検査の間などの空き時間に応じて更新可能な更新対象を選択して更新を実行することができる。
【００８５】
図１２は、実施形態に係る医用装置４００の更新情報表示の第２の表示例を説明する図である。図１２の更新情報表示Ｕ２は、優先度順に更新対象を並べた例を示している。たとえば、撮像条件１、撮像条件２、受信コイル情報１は優先度が「高」、受信コイル情報２は「中」、画像処理１は「低」と優先度を３段階で表示している。なお、優先度は３段階以上であってもよいし、数字や記号で示されていてもよい。図１２の例でも図１１と同様にリモートメンテナンス依頼者は、一覧で表示された機能の中から必要な更新対象を選んで更新を行うことができる。図１２の例では優先度「高」で示された更新対象のうち、撮像条件１と受信コイル情報１とが選択されている。たとえば、撮像条件１と受信コイル情報１とが互いに関係のある更新である場合、一方を選択すると他方も自動で選択されるように制御してもよい。また、選択した内容に応じて優先度を動的に変更してもよい。さらに、更新情報に更新情報がリリースされた日付等が含まれる場合は、リリース日付順に優先度を設定してもよいし、上述のすべての情報を総合的に判断して優先度を設定してもよい。
【００８６】
優先度の表示は、更新情報と使用状況とを併せて設定してもよい。たとえば、図１０（ｂ）の３段目に示されたＭＲＩ３は「頭部」撮像用の装置であることが示されている。更新情報はすべての更新対象の情報を含んでいるため、撮像方法、画像処理、受信コイルの中に頭部の撮像に関係のない更新が含まれる場合がある。このような場合に、使用状況に基づいて更新情報表示Ｕ１に表示する更新対象を絞り込んで表示することができる。また、使用状況に頭部の撮像方法の頻度などの情報を含めておくことで、使用頻度に応じて優先度を表示することもできる。
【００８７】
上述のような更新情報を表示するタイミングは、たとえば、日常点検や業務終了直後などのタイミングであってもよいし、リモートメンテナンス依頼者が手動で表示してもよい。たとえは、図５で示したユーティリティメニュー画面Ｗ１を表示したタイミングで表示されてもよい。また、使用状況に基づいて更新情報を表示するタイミングを制御してもよい。
【００８８】
図１３は、実施形態に係る医用装置４００の更新情報表示の第３の表示例を説明する図である。図１３左図は図１０（ｂ）の使用状況の３段目のＭＲＩ３の使用予約状況を示している。図１０（ｂ）の使用予約状況から、ＭＲＩ３は「９：００〜１１：００」、「１２：００〜１３：００」、「１５：００〜１７：００」に使用予約が入っている。図１３左図は、使用予約のある「検査」時間帯を白抜きで示し、それ以外の「空き」時間帯を網掛けで表示した。このような使用予約状況に応じて、「空き」時間帯の直前または空き時間の開始直後に更新情報表示Ｕ３を表示してリモートメンテナンス依頼者に更新を促してもよい。
【００８９】
図１３右図に示した更新情報表示Ｕ３には、空き時間内で更新が完了するおすすめの更新対象を一覧で表示する例を示している。このように一日のうち、検査が実施されない時間帯に更新を実施することで、病院業務終了後に更新作業を行うよりも効率的に作業を行え、かつ、更新後はすぐに最新の状態で検査を始められる。
【００９０】
なお、更新情報表示は、図１３で例示するように空き時間毎に表示されてもよいし、日常点検時や業務開始時にまとめて表示してもよい。また、いつの時間帯に更新が可能であるかを表示したり、一日の更新スケジュールを一覧で表示したりしてもよい。
【００９１】
このように第２の実施形態では、更新情報表示に基づいてリモートメンテナンスの対象を選択することで、リモートメンテナンス依頼者の作業状況に合わせて効率よく作業を行うことができる。また、医用装置４００の空き時間を使用状況から把握したり、よく使用される撮像方法などに応じて優先度を設定したり、更新対象を絞り込んで表示することで、無駄な更新作業を削減することができ、医用装置４００を最新の状態、最適な状態に維持することに貢献する。
【００９２】
以上説明した少なくともひとつの実施形態の医用装置によれば、リモートメンテナンスを適切に行うことができる。
【００９３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９４】
１０００  リモートメンテナンスシステム
１  サービスセンタ
２  医療機関
１００  遠隔操作端末
２００  遠隔操作サービスサーバ
３００  稼働管理装置
４００  医用装置
１１  接続制御部
２１  接続部
２２  リモートメンテナンス開始要求生成部
２３  操作制限部
２４  遠隔操作画面管理部
２５  透明化ウィンドウ生成部
２６  進捗表示生成部
２７  切断要求生成部
２８  更新情報生成部
２９ａ  更新情報取得部
２９ｂ  使用状況取得部
３１  確認データ記憶部
【図１】
2016110180.tif 000003
【図２】
2016110180.tif 000004
【図３】
2016110180.tif 000005
【図４】
2016110180.tif 000006
【図５】
2016110180.tif 000007
【図６】
2016110180.tif 000008
【図７】
2016110180.tif 000009
【図８】
2016110180.tif 000010
【図９】
2016110180.tif 000011
【図１０】
2016110180.tif 000012
【図１１】
2016110180.tif 000013
【図１２】
2016110180.tif 000014
【図１３】
2016110180.tif 000015